【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
分析用液体試薬を分注する装置であって：
容器であって、第１の末端、第２の末端、第１の側部、第２の側部、裏面、表面、前記容器の表面で開口している第１の陥凹部、第１の陥凹部の開口した表面周辺に伸びるフランジ、および前記容器の第２の末端付近で開口している第２の陥凹部を有する、前記容器と；
第１の陥凹部内に配置された第１の液体試薬と；
第２の陥凹部内に配置された第２の液体試薬と；
単一の可撓性のカバーであって、前記容器のフランジに取り外し可能に取り付けられて、第１の陥凹部内に第１の液体試薬を密封し、第２の陥凹部内に第２の液体試薬を密封し、フランジから前記単一の可撓性のカバーを完全に除去する際に、第１の液体試薬が第１の陥凹部から流れ出る一方、前記容器が、前記容器の第１の末端を前記容器の第２の末端の実質的に垂直方向で真下に位置させるように、方向づけられたときに、第２の液体試薬は留まりそして開口した第２の陥凹部に含有される、前記単一の可撓性のカバーと；
を含む、前記装置。
【請求項２】
装置は、容器の第２の末端付近で開口している第３の陥凹部をさらに含み、さらに、第３の液体試薬が、第３の陥凹部内に配置される、請求項１に記載の装置。
【請求項３】
第２の陥凹部および第３の陥凹部は、第１の陥凹部の両側に位置する、請求項２に記載の装置。
【請求項４】
縦軸は、容器の第１の末端および第２の末端の間に伸び、第２の陥凹部および第３の陥凹部のそれぞれは、細長く、縦軸に実質的に平行に方向づけられている、請求項３に記載の装置。
【請求項５】
縦軸は、容器の第１の末端および第２の末端の間に伸び、第２の陥凹部および第３の陥凹部のそれぞれは、細長く、縦軸に対して傾斜している、請求項３に記載の装置。
【請求項６】
第２の陥凹部および第３の陥凹部は、第１の陥凹部の両側に位置し、第２の陥凹部は、第１の陥凹部から離れて、容器の第１の末端から第２の末端へと傾斜し、第３の陥凹部は、第１の陥凹部から離れて、容器の第１の末端から第２の末端へと傾斜する、請求項２に記載の装置。
【請求項７】
装置は、少なくとも１つの支持部をさらに含む、請求項１に記載の装置。
【請求項８】
装置は、第１の支持部と第２の支持部とを含み、前記第１の支持部は、前記第２の支持部より短い、請求項７に記載の装置。
【請求項９】
容器の第１の末端は、先端を形成するように傾斜しており、先端は、第１の陥凹部の液体吐出ポイントから縦方向に伸びる、請求項１に記載の装置。
【請求項１０】
第１の液体試薬および第２の液体試薬は、同一の化学組成である、請求項１に記載の装置。
【請求項１１】
第１の液体試薬および第２の液体試薬は、化学組成が異なる、請求項１に記載の装置。
【請求項１２】
第１の液体試薬、第２の液体試薬および第３の液体試薬は、同一の化学組成である、請求項２に記載の装置。
【請求項１３】
第１の液体試薬、第２の液体試薬および第３の液体試薬は、化学組成が異なる、請求項２に記載の装置。
【請求項１４】
分析用反応キットであって：
反応カセットであって：
表面外周側部、裏面外周側部、第１の外周側部、第２の外周側部、裏面部分および表面部分を含み、それにより反応カセットチャンバを形成する、ボディ；
液体テストサンプルを反応カセットチャンバ内に導入するための注入口；ならびに
注入口と液体連通する反応チャンバ；
を含む前記反応カセットと；
分析用液体試薬を分注する装置であって：
容器であって、第１の末端、第２の末端、第１の側部、第２の側部、裏面、表面、容器の表面で開口している第１の陥凹部、第１の陥凹部の開口した表面周辺に伸びるフランジ、および容器の第２の末端付近で開口している第２の陥凹部を有する、容器；
第１の陥凹部内に配置された第１の液体試薬；
第２の陥凹部内に配置された第２の液体試薬；ならびに
単一の可撓性のカバーであって、容器のフランジに取り外し可能に取り付けられて、第１の陥凹部内に第１の液体試薬を密封し、第２の陥凹部内に第２の液体試薬を密封し、フランジから前記単一の可撓性のカバーを完全に除去する際に、第１の液体試薬が第１の陥凹部から流れ出る一方、前記容器が、前記容器の第１の末端を前記容器の第２の末端の実質的に垂直方向で真下に位置させるように、方向づけられたときに、第２の液体試薬は留まりそして開口した第２の陥凹部に含有される、前記単一の可撓性のカバーと；
を含む、前記装置と；
前記反応カセットの注入口に部分的に挿入され、それにより液体テストサンプルを反応チャンバに導入することが可能である、毛管と；
を含む、前記キット。
【請求項１５】
反応カセットは、反応チャンバに沿って位置する少なくとも１つの固体試薬域をさらに含み、固体試薬域は、少なくとも１つの固体分析用試薬を含む、請求項１４に記載のキッ
ト。
【請求項１６】
分析用液体試薬を分注する装置は、容器の第２の末端付近に開口している第３の陥凹部をさらに含み、さらに第３の液体試薬が第３の陥凹部内に配置される、請求項１４に記載のキット。
【請求項１７】
第１の液体試薬および第２の液体試薬は、同一の化学組成である、請求項１４に記載のキット。
【請求項１８】
第１の液体試薬および第２の液体試薬は、化学組成が異なる、請求項１４に記載のキット。
【請求項１９】
第１の液体試薬、第２の液体試薬および第３の液体試薬は、同一の化学組成である、請求項１６に記載のキット。
【請求項２０】
第１の液体試薬、第２の液体試薬および第３の液体試薬は、化学組成が異なる、請求項１６に記載のキット。
【請求項２１】
液体テストサンプルにおける検体の存在を判定する分析反応を行うための方法であって：
実質的に水平の回転軸を有する反応カセットを準備する工程であって、反応カセットは：
表面外周側部、裏面外周側部、第１の外周側部、第２の外周側部、裏面部分および表面部分を含み、それにより反応カセットチャンバを形成する、ボディ；
液体テストサンプルを反応カセットチャンバ内に導入するための注入口；
注入口と液体連通する反応チャネル；ならびに
反応カセットに組み入れられる分析用液体試薬を分注する装置であって：
容器であって、第１の末端、第２の末端、第１の側部、第２の側部、裏面、表面、容器の表面で開口している第１の陥凹部、第１の陥凹部の開口した表面周辺に伸びるフランジ、および容器の第２の末端付近で開口している第２の陥凹部を有する、容器；
第１の陥凹部内に配置された第１の液体試薬；
第２の陥凹部内に配置された第２の液体試薬；ならびに
単一の可撓性のカバーであって、容器のフランジに取り外し可能に取り付けられて、第１の陥凹部内に第１の液体試薬を密封し、第２の陥凹部内に第２の液体試薬を密封し、フランジから前記単一の可撓性のカバーを完全に除去する際に、第１の液体試薬が第１の陥凹部から流れ出る一方、前記容器が、前記容器の第１の末端を、前記容器の第２の末端の実質的に垂直方向で真下に位置させるように、方向づけられたときに、第２の液体試薬は留まりそして開口した第２の陥凹部に含有される、可撓性のカバー；
を含む、装置；
を含む、前記工程と；
反応カセットの注入口を経由して、液体テストサンプルを反応チャンバに導入する工程と；
単一の可撓性のカバーを除去し、それにより、第１の液体試薬を第１の陥凹部から反応チャネルに導入し、それによって、第１の液体試薬を液体テストサンプルと混合して、それにより、反応チャネル中の第１の反応混合物を形成する工程と；
第１の反応混合物における検出可能な反応を測定して、第１の反応混合物に存在する少なくとも１つの検体の存在を判定する工程と；
反応カセットを水平軸周囲で回転させ、その結果、第２の液体試薬を第２の陥凹部から反応チャネルに選択的に導入する工程と；
反応カセットを、そのような水平軸周囲で振動させて、第１の液体反応混合物をかき混
ぜて、その結果、第１の反応混合物と第２の液体試薬を混合し、それにより第２の反応混合物を形成する工程と；
第２の反応混合物における検出可能な反応を測定して、第２の反応混合物に存在する少なくとも１つの検体の存在を判定する工程と；
を含む、前記方法。
【請求項２２】
分析用液体試薬を分注する装置は、容器の第２の末端付近に開口している第３の陥凹部をさらに含み、さらに第３の液体試薬が第３の陥凹部内に配置される、請求項２１に記載の方法。
【請求項２３】
反応カセットを水平軸周囲で回転させ、その結果、第３の液体試薬を開口している第３の陥凹部から反応チャネルに選択的に導入する工程を含む、請求項２２に記載の方法。
【請求項２４】
第２の反応混合物と第３の液体試薬を振動させて、それにより、第３の反応混合物を形成する工程を含む、請求項２３に記載の方法。
【請求項２５】
第３の反応混合物における検出可能な反応を測定して、第３の反応混合物における少なくとも１つの検体の存在を判定する工程を含む、請求項２４に記載の方法。
【請求項２６】
液体テストサンプルに存在する少なくとも１つの検体の濃度は、測定により検出される、請求項２１に記載の方法。